【手続補正書】
【提出日】平成25年6月21日(2013.6.21)
【手続補正１】
【補正対象書類名】明細書
【補正対象項目名】発明の名称
【補正方法】変更
【補正の内容】
【発明の名称】画像処理装置、画像処理方法、および画像記録装置
【手続補正２】
【補正対象書類名】明細書
【補正対象項目名】０００１
【補正方法】変更
【補正の内容】
【０００１】
本発明は、記録媒体に記録すべき画像データの各画素が有する所定の色空間の色信号に対して色補正処理をする画像処理装置、画像処理方法、および画像記録装置に関する。
【手続補正３】
【補正対象書類名】明細書
【補正対象項目名】０００７
【補正方法】変更
【補正の内容】
【０００７】
本発明の目的は、インクを吐出するノズル間の吐出特性のばらつきに起因して、異なる種類の複数のインクの混色により形成される色画像に生じる色むらを高精度にかつ効率的に低減可能な画像処理装置、画像記録装置、および画像処理方法を提供することにある。
【手続補正４】
【補正対象書類名】明細書
【補正対象項目名】０００８
【補正方法】変更
【補正の内容】
【０００８】
本発明に係る画像処理装置は、記録媒体上の第１の領域に第１のインクを吐出するための所定のノズルと前記記録媒体上の前記第１の領域と異なる第２の領域に前記第１のインクを吐出するための前記所定のノズルと異なる他のノズルとを含む複数のノズルが配列された第１のノズル列と、
前記第１の領域に前記第１のインクと異なる第２のインクを吐出するための所定のノズルと前記第２の領域に前記第２のインクを吐出するための前記所定のノズルと異なる他のノズルとを含む前記第２のインクを吐出するための複数のノズルが配列された第２のノズル列と、
を用いて記録媒体上に画像を記録するための画像処理を行う画像処理装置であって、
所定の色を示す色信号の入力に基づいて前記第１、第２のノズル列のそれぞれに配列された前記所定のノズルを少なくとも含む複数のノズルからなる第１のノズル群により第１の画像を前記第１の領域に記録させ、且つ、前記所定の色を示す色信号の入力に基づいて前記第１、第２のノズル列のそれぞれに配列された前記他のノズルを少なくとも含む複数のノズルからなる第２のノズル群により第２の画像を前記第２の領域に記録させる第１の記録制御手段と、
前記第１の画像に対する色補正の指示に関する情報を取得する第１の取得手段と、
前記色補正を行うために用いられる色差値を取得する第２の取得手段と、
前記所定の色との均等色空間における色差が前記第２の取得手段により取得された色差値である複数の補正色をそれぞれ示す複数の補正色信号の入力に基づいて、前記第１のノズル群による記録を行うために用いられる色信号を補正するための複数の補正色画像を前記第１のノズル群により記録させる第２の記録制御手段と、を有することを特徴とする。
【手続補正５】
【補正対象書類名】特許請求の範囲
【補正対象項目名】全文
【補正方法】変更
【補正の内容】
【特許請求の範囲】
【請求項１】
記録媒体上の第１の領域に第１のインクを吐出するための所定のノズルと前記記録媒体上の前記第１の領域と異なる第２の領域に前記第１のインクを吐出するための前記所定のノズルと異なる他のノズルとを含む複数のノズルが配列された第１のノズル列と、
前記第１の領域に前記第１のインクと異なる第２のインクを吐出するための所定のノズルと前記第２の領域に前記第２のインクを吐出するための前記所定のノズルと異なる他のノズルとを含む前記第２のインクを吐出するための複数のノズルが配列された第２のノズル列と、
を用いて記録媒体上に画像を記録するための画像処理を行う画像処理装置であって、
所定の色を示す色信号の入力に基づいて前記第１、第２のノズル列のそれぞれに配列された前記所定のノズルを少なくとも含む複数のノズルからなる第１のノズル群により第１の画像を前記第１の領域に記録させ、且つ、前記所定の色を示す色信号の入力に基づいて前記第１、第２のノズル列のそれぞれに配列された前記他のノズルを少なくとも含む複数のノズルからなる第２のノズル群により第２の画像を前記第２の領域に記録させる第１の記録制御手段と、
前記第１の画像に対する色補正の指示に関する情報を取得する第１の取得手段と、
前記色補正を行うために用いられる色差値を取得する第２の取得手段と、
前記所定の色との均等色空間における色差が前記第２の取得手段により取得された色差値である複数の補正色をそれぞれ示す複数の補正色信号の入力に基づいて、前記第１のノズル群による記録を行うために用いられる色信号を補正するための複数の補正色画像を前記第１のノズル群により記録させる第２の記録制御手段と、を有することを特徴とする画像処理装置。
【請求項２】
前記複数の補正色からの所定の補正色の特定に関する情報を取得する第３の取得手段と、
前記所定の色を示す色信号が入力された場合、前記第１のノズル群からは前記第２の取得手段により取得された前記所定の補正色を示す色信号を出力し、前記第２のノズル群からは前記所定の色を示す色信号を出力する出力手段と、を更に有することを特徴とする請求項１に記載の画像処理装置。
【請求項３】
前記色差値は、ユーザーによって決定された値であることを特徴とする請求項１または２に記載の画像処理装置。
【請求項４】
ユーザーからの前記色差値の決定を受け付ける受付手段を更に有することを特徴とする請求項３に記載の画像処理装置。
【請求項５】
前記複数の補正色信号を生成する生成手段を更に備え、
前記第２の記録制御手段は、前記生成手段により生成された前記複数の補正色信号に基づいて、前記第１のノズル群による記録を行うために用いられる色信号を補正するための複数の補正色画像を前記第１のノズル群により記録させることを特徴とする請求項１から４のいずれか１項に記載の画像処理装置。
【請求項６】
前記生成手段は、前記所定の色を示す色信号の各成分を増加あるいは減少させることで前記複数の補正色信号を生成することを特徴とする請求項５に記載の画像処理装置。
【請求項７】
前記生成手段は、前記所定の色を示す色信号の各成分に対する増加あるいは減少が行われた後の色信号に対応する色と前記所定の色との均等色空間における色差が前記色差値よりも小さい場合、前記所定の色を示す色信号の各成分に対する増加あるいは減少の量を大きくすることを特徴とする請求項６に記載の画像処理装置。
【請求項８】
前記生成手段は、前記複数の補正色の間の均等色空間における色相彩度方向の距離が前記複数の補正色の間の均等色空間における明度方向の距離よりも大きくなるように前記複数の補正色をそれぞれ示す前記複数の補正色信号を生成することを特徴とする請求項５から７のいずれか１項に記載の画像処理装置。
【請求項９】
前記生成手段は、前記所定の色が無彩色近傍領域に含まれる色である場合、前記所定の色が前記無彩色近傍領域以外の領域に含まれる色である場合に比べて、前記複数の補正色の間の均等色空間における距離が小さくなるように前記複数の補正色をそれぞれ示す前記複数の補正色信号を生成することを特徴とする請求項５から８のいずれか１項に記載の画像処理装置。
【請求項１０】
前記生成手段は、前記複数の補正色の間の均等色空間における色差が第２の色差値よりも大きくなるように前記複数の補正色をそれぞれ示す前記複数の補正色信号を生成することを特徴とする請求項５から９のいずれか１項に記載の画像処理装置。
【請求項１１】
前記色差値は、均等色空間において０．８以上の値を設定可能であることを特徴とする請求項１から１０のいずれか１項に記載の画像処理装置。
【請求項１２】
前記色差値は、前記所定の色に応じて異なることを特徴とする請求項１または２、および４から１１のいずれか１項に記載の画像処理装置。
【請求項１３】
前記色差値は、前記所定の色に発生する色むらの程度に応じて異なることを特徴とする請求項１または２、および４から１１のいずれか１項に記載の画像処理装置。
【請求項１４】
記録媒体上の第１の領域に第１のインクを吐出するための所定のノズルと前記記録媒体上の前記第１の領域と異なる第２の領域に前記第１のインクを吐出するための前記所定のノズルと異なる他のノズルとを含む前記第１のインクを吐出するための複数のノズルが所定方向に配列された第１のノズル列と、
前記第１の領域に前記第１のインクと異なる第２のインクを吐出するための所定のノズルと前記第２の領域に前記第２のインクを吐出可能な前記所定のノズルと異なる他のノズルとを含む前記第２のインクを吐出するための複数のノズルが前記所定方向に配列された第２のノズル列と、
を有する記録ヘッドを用いて記録媒体上に画像を記録するための画像処理を行う画像処理方法であって、
所定の色を示す色信号の入力に基づいて前記第１、第２のノズル列のそれぞれに配列された前記所定のノズルを少なくとも含む複数のノズルからなる第１のノズル群により第１の画像を前記第１の領域に記録させ、且つ、前記所定の色を示す色信号の入力に基づいて前記第１、第２のノズル列のそれぞれに配列された前記他のノズルを少なくとも含む複数のノズルからなる第２のノズル群により第２の画像を前記第２の領域に記録させるステップと、
前記第１の画像に対する色補正の指示に関する情報を取得するステップと、
前記色補正を行うために用いられる色差値を取得するステップと、
前記所定の色との均等色空間における色差が前記第２の取得手段により取得された前記色差値である複数の補正色をそれぞれ示す複数の補正色信号の入力に基づいて、前記第１のノズル群による記録を行わせる色信号を補正するための複数の補正色画像を前記第１のノズル群により記録させるステップと、を有することを特徴とする画像処理方法。
【請求項１５】
前記複数の補正色からの所定の補正色の特定に関する情報を取得するステップと、
前記所定の色を示す色信号が入力された場合、前記第１のノズル群からは前記第２の取得手段により取得された前記所定の補正色を示す色信号を出力し、前記第２のノズル群からは前記所定の色を示す色信号を出力するステップと、を更に有することを特徴とする請求項１４に記載の画像処理方法。
【請求項１６】
記録媒体上の第１の領域に第１のインクを吐出するための所定のノズルと前記記録媒体上の前記第１の領域と異なる第２の領域に前記第１のインクを吐出するための前記所定のノズルと異なる他のノズルとを含む前記第１のインクを吐出するための複数のノズルが所定方向に配列された第１のノズル列と、
前記第１の領域に前記第１のインクと異なる第２のインクを吐出するための所定のノズルと前記第２の領域に前記第２のインクを吐出するための前記所定のノズルと異なる他のノズルとを含む前記第２のインクを吐出するための複数のノズルが前記所定方向に配列された第２のノズル列と、
を有する記録ヘッドを用いて記録媒体上に画像を記録する画像記録装置であって、
所定の色を示す色信号の入力に基づいて前記第１、第２のノズル列のそれぞれに配列された前記所定のノズルを少なくとも含む複数のノズルからなる第１のノズル群により第１の画像を前記第１の領域に記録し、且つ、前記所定の色を示す色信号の入力に基づいて前記第１、第２のノズル列のそれぞれに配列された前記他のノズルを少なくとも含む複数のノズルからなる第２のノズル群により第２の画像を前記第２の領域に記録する第１の記録手段と、
前記第１の画像に対する色補正の指示に関する情報を受信する第１の受信手段と、
前記色補正を行うために用いられる色差値を受信する第２の受信手段と、
前記所定の色との均等色空間における色差が前記第２の取得手段により取得された前記色差値である複数の補正色をそれぞれ示す複数の補正色信号の入力に基づいて、前記第１のノズル群による記録を行わせる色信号を補正するための複数の補正色画像を前記第１のノズル群により記録する第２の記録手段と、を有することを特徴とする画像記録装置。
【請求項１７】
前記複数の補正色からの所定の補正色の特定に関する情報を受信する第３の受信手段と、
前記所定の色を示す色信号が入力された場合、前記第１のノズル群からは前記第２の取得手段により取得された前記所定の補正色を示す色信号を出力し、前記第２のノズル群からは前記所定の色を示す色信号を出力して記録する第３の記録手段と、を更に有することを特徴とする請求項１６に記載の画像記録装置。